【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
物体の中身を調査する方法であって、
第1のエネルギーの第1の放射線ビーム、及び前記第1の放射線とは異なるエネルギーの第２の放射線ビームで前記物体の少なくとも一部を走査するステップと、
前記第１及び第２の放射線ビームの前記物体の少なくとも一部との相互作用の後で第1及び第２の放射線を検出するステップと、
前記第１および第２のエネルギーで検出された前記放射線の第１の関数を計算するステップと、
少なくとも部分的に、少なくともいくつかの前記第1の関数に基づいて、少なくとも１つの第２の関数を計算するステップと、
前記第２の関数に少なくとも部分的に基づいて、前記物体がある物質類（クラス）に少なくとも可能性として物質を含むかどうかを判定するステップと、を含む方法。
【請求項２】
前記第２の関数に少なくとも部分的に基づいて、前記物体が所定の原始番号よりも大きい原子番号を有する物質類（クラス）に少なくとも可能性として物質を含むかどうかを判定するステップを含む、請求項１に記載の方法。
【請求項３】
前記第２の関数を計算する前に、前記所定の原子番号に少なくとも部分的に基づいた基準と前記第１の関数を比較するステップをさらに含み、
前記第２の関数を計算する前記ステップが、前記基準を満たす前記第1の関数に少なくとも部分的に基づいており、
少なくとも部分的に前記比較に基づいて、前記物体が、前記所定の原子番号より大きい電子番号を有する物質類（クラス）に物質を含むかを判定する、請求項1又は２に記載の方法。
【請求項４】
前記第２の関数を、前記物体とは独立した所定の基準と比較するステップと、
前記第２の関数と前記物体とは独立した所定の基準との比較に少なくとも部分的に基づいて、前記物体が前記物質類（クラス）にあるかを判定するステップと、をさらに含む、請求項１乃至３の何れか１項に記載の方法。
【請求項５】
前記物体の対応部分の前記第１の関数を計算するステップを、さらに含む請求項１乃至４の何れか１項に記載の方法。
【請求項６】
前記物体の対応部分は、少なくとも半分は重なる、請求項５に記載の方法。
【請求項７】
前記第１の関数を基準と比較するステップをさらに含み、
前記第２の関数の計算は、前記基準を満たす前記第1の関数に少なくとも部分的に基づく、請求項１乃至６の何れか１項に記載の方法。
【請求項８】
第1の関数を少なくとも１つのグループに分類するステップと、
前記少なくとも１つのグループの前記第1の関数に少なくとも部分的に基づいて、前記第２の関数を計算するステップと、をさらに含む請求項１乃至７の何れか１項に記載の方法。
【請求項９】
所定のサイズを有し、前記物体の少なくとも一部に対応する少なくとも１つの調査窓に、第1の関数を分類するステップと、
前記基準を満たす、前記調査窓内の第1の関数の数をカウントすることによって前記第２の関数を計算するステップと、
前記カウントされた数を所定の数と比較して、前記物体が前記物質類（クラス）に物質を含む可能性が少なくともあるか否かを判定するステップと、を含む、請求項１乃至８の何れか１項に記載の方法。
【請求項１０】
前記所定の数は、所定の誤肯定率に少なくとも部分的に基づいている、請求項９に記載の方法。
【請求項１１】
前記基準を満たす前記物体の隣接する部分の第１の関数を分類するステップと、
分類した部分の領域の面積を計算するステップと、
前記面積と所定の面積を比較し、前記物体が物質類（クラス）に物質を含む可能性が少なくともあるか否かについて判定するステップと、を含む、請求項８に記載の方法。
【請求項１２】
前記少なくとも１つのグループは少なくとも１つのマトリックスを規定し、前記第２の関数は平均であり、
前記少なくとも１つのマトリックス内で前記第１の関数の平均を計算するステップと、
前記第１の関数の平均を前記基準と比較し、前記物体が前記物質類（クラス）に物質を含む可能性が少なくともあるか否かを判定するステップと、を含む、請求項８に記載の方法。
【請求項１３】
前記第１の関数を前記基準と比較するステップは、前記第１の関数を閾値と比較するステップを含む、請求項３に記載の方法。
【請求項１４】
それぞれ前記第１及び第２のエネルギーの第３及び第４の放射線ビームで、前記類（クラス）内の物質を有する第２の物体の少なくとも一部を走査し、
前記第３及び第４の放射線ビームの前記第２の物体の少なくとも一部との相互作用の後、第３及び第４の放射線を検出し、
前記第３及び第４のエネルギーで検出された放射線の前記第１の関数を計算することによって、少なくとも部分的に前記閾値を計算するステップを、さらに含む、請求項１３に記載の方法。
【請求項１５】
複数の異なる物質を有する複数の物体を走査し、複数の閾値を計算するステップと、
前記物体の予期された中身に少なくとも部分的に基づいて、前記基準として使用するための閾値を選択するステップと、を含む、請求項１４に記載の方法。
【請求項１６】
前記第１の関数の計算は、前記第１の検出された放射線を前記第２の検出された放射線で除算することを含む、請求項１乃至１５の何れか１項に記載の方法。
【請求項１７】
前記第１及び第２の放射線の少なくとも１つで検出された放射線に基づいて閾値を選択するステップを、さらに含む、請求項１３に記載の方法。
【請求項１８】
遅発中性子の検出のため、前記物体が前記物質類（クラス）に物質を含む可能性が少なくともあるか否か調査するステップと、
遅発中性子が検出されたか否かに少なくとも部分的に基づいて、前記物体が核物質を含むか否か判定するステップと、をさらに含む、請求項1乃至１７の何れか１項に記載の方法。
【請求項１９】
前記第１及び第２の放射線ビームの少なくとも一部をそれぞれの部分を介して検出器に投影することが、第１及び第２の画素のそれぞれを規定し、
対応する第１及び第２の画素のための前記第１の関数を計算するステップを、をさらに含む、請求項1乃至１８の何れか１項に記載の方法。
【請求項２０】
物体の中身を調査するシステムであって、
第１の放射線エネルギーと、第１の放射線エネルギーと異なる第２の放射線エネルギーの第１及び第２の放射線ビームでそれぞれ、物体の少なくとも一部を走査するための少なくとも１つの放射線源と、
前記物体との相互作用の後、前記第1及び第２の放射線エネルギーで放射線を検出するように配置された少なくとも１つの検出器と、
前記検出器と接続された少なくとも１つのプロセッサと、を備え、
前記少なくとも１つのプロセッサは、前記第１及び第２のエネルギーで検出された前記方鎖線の第１の関数を計算し、
前記第1の関数の少なくともいくつかに少なくとも部分的に基づいて、少なくとも１つの第２の関数を計算し、
前記少なくとも１つの第２の関数に少なくとも部分的に基づいて、前記物体が物質類（クラス）に物質を含む可能性が少なくともあるか否かを判定する、ように構成されている、システム。
【請求項２１】
前記プロセッサは、前記第２の関数に少なくとも部分的に基づいて、所定の原子番号よりも大きい原始番号を有する、物質類（クラス）における物質を、前記物体が含む可能性が少なくともあるか否かを判定するように構成される、請求項２０に記載のシステム。
【請求項２２】
前記プロセッサは、前記第２の関数を計算する前に、前記所定の原子番号に少なくとも部分的に基づいて、前記第１の関数を基準と比較するように構成され、
前記第２の関数の計算は、前記基準を満たす前記第１の関数に少なくとも部分的に基づいてなされる、請求項２０又は２１に記載のシステム。
【請求項２３】
前記プロセッサは、さらに、前記第２の関数を前記物体とは独立する所定の基準と比較し、
前記第２の関数の前記物体と独立する所定の基準との比較に少なくとも部分的に基づいて、前記物体が前記物質類（クラス）にあるか否かを判定するように構成される、請求項２０乃至２２の何れか１項に記載のシステム。
【請求項２４】
前記プロセッサは、前記物体の対応部分に対する前記第1の関数を計算するように構成される、請求項２０乃至２３の何れか１項に記載のシステム。
【請求項２５】
前記物体の対応部分は、少なくとも半分は重なる、請求項２４に記載のシステム。
【請求項２６】
前記プロセッサは、さらに、前記第1の関数を基準と比較するように構成され、
前記第２の関数の計算は、前記基準を満たす前記第1の関数に少なくとも部分的に基づいてなされる、請求項２０乃至２５の何れか１項に記載のシステム。
【請求項２７】
前記プロセッサは、前記第１の関数を閾値と比較することによって、前記第１の関数を前記基準と比較するように構成される、請求項２６に記載のシステム。
【請求項２８】
前記プロセッサは、さらに、第１の関数を少なくとも１つのグループに分類し、
前記少なくとも１つのグループの前記第１の関数に基づいて、前記第２の関数を計算するように構成される、請求項２０乃至２７の何れか１項に記載のシステム。
【請求項２９】
前記プロセッサは、さらに、所定のサイズを有し、前記物体の少なくとも一部に対応する少なくとも１つの調査窓に第１の関数を分類し、
前記基準を満たす前記調査窓内で、第１の関数の数をカウントすることによって前記第２の関数を計算し、
前記カウントされた数を所定の数と比較し、前記物体が物質類（クラス）に物質を含む可能性が少なくともあるか否かを判定するように構成される、請求項２８に記載のシステム。
【請求項３０】
前記所定の数は、所定の誤肯定率に少なくとも部分的に基づいている、請求項２９に記載のシステム。
【請求項３１】
前記プロセッサは、さらに、前記基準を満たす前記物体の隣接する部分の第１の関数を分類し、
前記分類した部分の領域の面積を計算し、
前記面積と所定の面積を比較し、前記物体が物質類（クラス）に物質を含む可能性が少なくともあるか否かについて判定するように構成される、請求項２８に記載のシステム。
【請求項３２】
前記少なくとも１つのグループは少なくとも１つのマトリックスを規定し、前記第２の関数は平均であり、
前記プロセッサは、さらに、前記少なくとも１つのマトリックス内で前記第１の関数の平均を計算し、
前記第１の関数の平均を前記基準と比較し、前記物体が前記物質類（クラス）に物質を含む可能性が少なくともあるか否かを判定するように構成される、請求項２７に記載のシステム。
【請求項３３】
前記プロセッサは、さらに、前記類（クラス）において試験物質を走査した後、検出された放射線に少なくとも部分的に基づいて前記閾値を計算するように構成される、請求項２７に記載のシステム。
【請求項３４】
中性子を検出するように構成される中性子検出器をさらに備え、
前記プロセッサは、遅発中性子の検出のため、前記プロセッサが、疑わしい物質が少なくとも存在する可能性を判定するか否か調査し、
遅発中性子が検出されたか否かに少なくとも部分的に基づいて、前記物体が核物質を含むか否か判定するように構成される、請求項２０乃至３３の何れか１項に記載のシステム。
【請求項３５】
前記第１及び第２の放射線ビームの少なくとも一部を、それぞれの部分を介して検出器に投影することが、第１及び第２の画素のそれぞれを規定し、
前記プロセッサは、対応する第１及び第２の画素のための前記第１の関数を計算するように構成される、請求項２０乃至３４の何れか１項に記載のシステム。
【請求項３６】
物体の中身を調査する方法であって、
物体の第1の調査を行うステップと、
疑わしい物質が存在することを前記第１の調査が示す場合は、前記物体の第２の調査を実行するステップと、を備え、
前記第２の調査は、Ｘ線放射線で前記物体の少なくとも一部を走査し、
前記Ｘ線放射線と前記物体の中身との相互作用がもたらす遅発中性子の検出を確かめ、
遅発中性子の検出の確認に少なくとも部分的に基づいて、前記物体が核物質を含むかどうかを判定する、方法。
【請求項３７】
物体の中身を調査するシステムであって、
少なくとも１つのＸ線放射線源と、
前記物体の少なくとも一部との相互作用の後、前記少なくとも１つのＸ線放射線源からの放射線を検出する第１の検出器と、
前記少なくとも１つのＸ線放射線源からの放射線と前記物体の少なくとも一部との相互作用によって起こる遅発中性子を検出する第２の検出器と、
前記第１及び第２の検出器に接続される少なくとも１つのプロセッサと、を備え、
前記少なくとも１つのプロセッサは、前記第１のプロセッサからのデータを処理し、前記物体が疑わしい物質を含む可能性が少なくともあるか否かを判定し、
前記第２の検出器からのデータを処理し、前記物体が核物質を含むか否かを判定するように構成される、システム。